(57)【要約】      （修正有）【課題】フリーホイール機構を用いて迅速修正を行うコンパクトな修正機構を提供する。【解決手段】計時器の日付表示機構１０のための修正機構であって、日付表示機構１０にある表示車セット１１の角位置を変えるように構成している。この修正機構は、一方では、ユーザーのアクションによって及び／又は計時器機構によって制御されるように構成している制御車セット２を有しており、他方では、表示車セット１１と連係するように構成している出力車セット３を有しており、この修正機構は、第１の相対的回転方向においては制御車セット２から出力車セット３を分離して第１の相対的回転方向とは反対の第２の相対的回転方向においては出力車セット３を制御車セット２と係合させるように構成しているフリーホイール機構を有している。【選択図】図３
2019174451.tif 000002
【特許請求の範囲】
【請求項１】
計時器の日付表示機構（１０）のための修正機構（１）であって、
前記日付表示機構（１０）にある表示車セット（１１）の角位置を変えるように構成しており、
当該修正機構（１）は、一方では、ユーザーのアクションによって及び／又は計時器機構（１００）によって制御されるように構成している制御車セット（２）を有しており、他方では、前記表示車セット（１１）と連係するように構成している出力車セット（３）を有しており、
当該修正機構（１）は、第１の相対的回転方向においては前記制御車セット（２）から前記出力車セット（３）を分離して前記第１の相対的回転方向とは反対の第２の相対的回転方向においては前記出力車セット（３）を前記制御車セット（２）と係合させるように構成しているフリーホイール機構を有しており、
前記制御車セット（２）又は前記出力車セット（３）の一方は、ともに回転するようにローター（４）と一体化されており、
前記制御車セット（２）又は前記出力車セット（３）の他方には、内部を前記ローター（４）が回転することができる空洞（３０）があり、
前記ローター（４）及び／又は前記空洞（３０）には、前記ローター（４）の回転軸（Ｄ）に対する半径方向に沿った断面が変わる少なくとも第１のチャンバー（５、５０）があり、
当該修正機構（１）は、前記チャンバー（５、５０）内にて囲まれている少なくとも１つのフリーホイール（６）を有しており、
当該修正機構（１）の寸法構成は、前記空洞（３０）に対する前記ローター（４）の前記第１の相対的回転方向においては、前記チャンバー（５、５０）内にて前記フリーホイールの自由があり、前記空洞（３０）に対する前記ローター（４）の前記第２の相対的回転方向においては、前記チャンバー（５、５０）の壁に前記フリーホイールをロックさせるように構成している
修正機構（１）。
【請求項２】
前記フリーホイール（６）は、前記ローター（４）の前記回転軸（Ｄ）に垂直な平面内においてのみ動くことができる
請求項１に記載の修正機構（１）。
【請求項３】
前記フリーホイール（６）は、前記ローター（４）の前記回転軸（Ｄ）に平行にのみ動くことができる
請求項１に記載の修正機構（１）。
【請求項４】
前記フリーホイール（６）は、前記ローター（４）の前記回転軸（Ｄ）に垂直な平面内と、前記ローター（４）の前記回転軸（Ｄ）と平行な方向の両方にて、動くことができる
請求項１に記載の修正機構（１）。
【請求項５】
前記ローター（４）の外周面（４０）は、各チャンバー（５）において、前記出力車セット（３）と前記ローター（４）に共通の回転軸（Ｄ）に垂直な平面にて、カムを形成している
請求項２に記載の修正機構（１）。
【請求項６】
前記ローター（４）の外周面（４０）は、各チャンバー（５）において、前記出力車セット（３）と前記ローター（４）に共通の回転軸（Ｄ）と平行な方向にて、カムを形成している
請求項２に記載の修正機構（１）。
【請求項７】
前記ローター（４）の外周面（４０）は、各チャンバー（５）において、前記出力車セット（３）と前記ローター（４）に共通の回転軸（Ｄ）に垂直な平面内と、前記回転軸（Ｄ）と平行な方向の両方にて、カムを形成している
請求項４に記載の修正機構（１）。
【請求項８】
各チャンバー（５、５０）には、他のすべての前記チャンバー（５、５０）と同じ周方向にて、傾斜面（７）上に漸増領域があり、これに、止め面（８）によって制限される増大領域が続き、
前記フリーホイール（６）は、前記第１の相対的回転方向においては前記増大領域において自由であり、前記第２の相対的回転方向においては前記傾斜面（７）上にて支えられて固定されている
請求項１に記載の修正機構（１）。
【請求項９】
各フリーホイール（６）はボールである
請求項１に記載の修正機構（１）。
【請求項１０】
前記制御車セット（２）、前記出力車セット（３）、前記ローター（４）、及び各フリーホイール（６）は、非磁性体で作られている
請求項１に記載の修正機構（１）。
【請求項１１】
前記制御車セット（２）、前記出力車セット（３）、前記ローター（４）、及び各フリーホイール（６）は、セラミックス材料で作られている
請求項１０に記載の修正機構（１）。
【請求項１２】
当該修正機構（１）は、前記出力車セット（３）又は前記制御車セット（２）において、当該修正機構（１）が固定されるように構成している計時器機構（１００）又はムーブメント（２００）の構造（９０）又はプレート又はブリッジと連係するように構成している単一の回転肩部（９）を有している
請求項１に記載の修正機構（１）。
【請求項１３】
表示車セット（１１）及び請求項１に記載の修正機構（１）を有する日付表示機構（１０）。
【請求項１４】
表示車セット（１１）を有する日付表示機構（１０）と制御車セット（２）を有する計時器（１０００）であって、
前記制御車セット（２）は、ユーザーのアクションによって及び／又は前記計時器（１０００）にある計時器機構（１００）によって及び／又は前記計時器（１０００）にあるムーブメント（２００）によって制御されるように構成しており、
当該計時器（１０００）は、前記表示車セット（１１）の位置を修正して日付表示を変えるように構成している請求項１に記載の修正機構（１）を有している
計時器（１０００）。
【請求項１５】
携行型時計である
請求項１４に記載の計時器（１０００）。
【発明の詳細な説明】
【技術分野】
【０００１】
本発明は、計時器の日付表示機構のための修正機構であって、前記日付表示機構にある表示車セットの角位置を変えるように構成しているものに関する。当該修正機構は、一方では、ユーザーのアクションによって及び／又は計時器機構によって制御されるように構成している制御車セットを有しており、他方では、前記表示車セットと連係するように構成している出力車セットを有しており、当該修正機構は、第１の相対的回転方向においては前記制御車セットから前記出力車セットを連結解除して前記第１の相対的回転方向とは反対の第２の相対的回転方向においては前記出力車セットを前記制御車セットと連結させるように構成しているフリーホイール機構を有している。
【０００２】
本発明は、さらに、表示車セット及び前記のような修正機構を有する日付表示機構に関する。
【０００３】
本発明は、さらに、前記のような修正機構を備える前記のような日付表示機構を有する計時器に関する。
【０００４】
本発明は、計時器の表示機構の分野に関し、より詳細には、日付表示機構の分野に関する。
【背景技術】
【０００５】
日付表示を修正するシステムであって、一つの方向において訂正し、他の方向において分離することを可能にするものがいくつか存在する。逆回転時にシステムの機構が分離して日付ディスクを駆動することを避けるような分離式レバーシステムが知られている。また、逆回転時に摩擦によって機構を分離して日付ディスクを駆動することを避けるようなオブロング状の穴を用いる摩擦システムが知られている。
【０００６】
レバーは厄介であり、摩擦機構はエネルギーを消費し、腕時計における汚染の原因となってしまう。
【０００７】
MONTRES BREGUETによる欧州特許出願ＥＰ２５０３４１０Ａ２は、日付インジケーターを制御するように構成している３１歯の車セットと、この３１歯の車セットを駆動するように構成している日付駆動手段と、月インジケーターを制御するように構成している１２歯の車セットと、及び各月の終わりにて１２歯の車セットを駆動するように構成している月毎の駆動手段とを有する暦機構を開示しており、この１２歯の車セットは、ある月の終わりから次の月の最初の日へと変わるときに月毎の駆動手段をアクチュエートするように構成しており、当該暦機構は、さらに、手動でアクチュエートされる迅速修正デバイスを有しており、この迅速修正デバイスは、通過の際に月毎の駆動手段をアクチュエートすることによって日付インジケーターが次の月へと変わるまで、３１歯の車セットを単一のアクションで前に進ませることができる。迅速修正デバイスは、３１歯の車セットに運動学的に接続された回転式のバンキングメンバーと、及び回転式のバンキングメンバーの軌道を遮るアクティブ位置と非アクティブ位置の間を動くことができる止めとを有しており、この迅速修正デバイスは、この止めをアクティブ位置に動かし、止めが回転式のバンキングメンバーを止めて３１歯の車セットを月の最初の日のインジケーションに対応する角位置にて動けなくするまで、単一のアクションで３１歯の車セットを前に進ませるように構成している。
【０００８】
ROLEXによる欧州特許ＥＰ２７０１０１４は、第１の車セットの回転をガイドする少なくとも第１の要素と、第１の車セットの少なくとも実質的に円筒状の部分と連係するように意図されている少なくとも１つの摩擦要素と、及び前記少なくとも１つの摩擦要素を、前記第１の車セットの部分と連係している状態、特に、前記第１の車セット部分と接触している状態に、弾性的に戻すように意図されている少なくとも１つの弾性要素とを有するレバーを開示している。
【０００９】
スイス特許出願ＣＨ７１０２５０Ａ２は、計時器用ムーブメントのための同軸の分離車を備えたデバイスを開示しており、これは、入力車、出力車、ハブ及びジャンパー機構を有しており、このジャンパー機構は、ばねと、回転軸のまわりにて出力車に対する入力車の特定の数の離散的な角位置を定めるポジショニング要素を有している。このポジショニング要素は、凹んでいる要素と突き出ている要素を有しており、ばねは、凹んでいる要素に突き出ている要素を押す弾性力を与えて、各車が連結解除トルクよりも小さいトルクで回転するように車どうしを連結するように構成している。突き出ている要素と凹んでいる要素は、軸方向に延在しており、ばねは、軸方向に弾性力を与えるように構成している。
【００１０】
ETAによる欧州特許出願ＥＰ２９４５０２６Ａ１は、トランスミッター車セットと少なくとも１つのレシーバー車セットの間で運動を伝達する計時器用のレバーを開示している。このトランスミッター車セットは、前記レバーにある回転プレートを担持しており、第１の回転軸のまわりに回転可能なようにマウントされている。前記レシーバー車セットは、前記レバーの外側にあり、第１の回転軸から離れている第２の回転軸のまわりに回転可能にマウントされており回転プレートによって担持されている少なくとも１つのトランスミッション車セットを有しており、このトランスミッション車セットの第２の回転軸の角位置は、第１の回転軸に対して変わる。このトランスミッター車セットは、恒久的に、その運動をトランスミッション車セットに伝達する。このトランスミッション車セットは、第２の回転軸のまわりの回転運動をするようにトランスミッター車セットによって駆動され、レバーは、トランスミッター車セットの第１の摩擦面と回転プレートの第２の摩擦面の間の第１の摩擦接続、又はトランスミッター車セットの第３の摩擦面と回転プレートの第４の摩擦面の間の第２の摩擦接続のいずれかを少なくとも有する。
【発明の概要】
【発明が解決しようとする課題】
【００１１】
本発明は、単方向性機構を用いて迅速修正を行うコンパクトな修正機構を実装することを提案し、ローラーにて通常ロックが発生するような、自転車、工作機械、運搬デバイスのような様々な広い範囲の機械的な分野において知られているように、フリーホイール機構を用いることを提案するものである。
【課題を解決するための手段】
【００１２】
このために、本発明は、請求項１に記載の計時器の日付表示機構のための修正機構に関し、これによって、従来技術と比較して、空間の節約と修正システムにおける相当な単純化の両方を実現し、特に、付加的な車セットを用いずに日付修正システムをコンパクトにする。
【００１３】
本発明は、さらに、表示車セットと前記のような修正機構を有する日付表示機構に関する。
【００１４】
本発明は、さらに、前記のような修正機構を備える前記のような日付表示機構を有する計時器に関する。
【００１５】
添付図面を参照しながら下記の詳細な説明を読むことで、本発明の他の特徴及び利点を理解することができるであろう。
【図面の簡単な説明】
【００１６】
【図１】従来技術のオブロング状の穴がある摩擦機構の概略斜視図である。
【図２】図１と同様な形態で、本発明に係る修正機構を備える日付機構の一部を示している。
【図３】修正機構に組み入れられたフリーホイール機構を示している図２の詳細である。
【図４】フリーホイール機構のローターの回転軸を通る修正機構の断面の図である。
【図５】フリーホイール機構についてのそのローターの回転軸に垂直な平面における断面の図である。
【図６】この修正機構を備える日付機構についての上方から見た概略図である。
【図７】この修正機構を備える日付機構についての下方から見た概略図である。
【図８】ムーブメント、日付機構、前記のような修正機構及びユーザー制御手段を有する腕時計を示しているブロック図である。
【発明を実施するための形態】
【００１７】
本発明は、表示車セット１１を有する計時器用の日付表示機構１０のための修正機構１に関する。
【００１８】
この修正機構１は、この表示車セット１１の角位置を変えるように構成している。
【００１９】
修正機構１は、一方では、ユーザーのアクション及び／又は計時器用機構１００によって制御されるように構成している制御車セット２を有しており、他方では、前記のような表示車セット１１と連係するように構成している出力車セット３を有する。
【００２０】
この修正機構１は、フリーホイール機構を有しており、これは、第１の相対的回転方向においては制御車セット２から出力車セット３を分離し、第１の相対的回転方向とは反対の第２の相対的回転方向においては制御車セット２に出力車セット３を係合させるように構成している。
【００２１】
本発明によると、この制御車セット２又は出力車セット３の一方は、ともに回転するようにローター４と一体化されている。制御車セット２又は出力車セット３の他方には、中をローター４が回転することができる空洞３０がある。このローター４及び／又はこの空洞３０には、ローター４の回転軸Ｄに対する半径方向の断面が変わる少なくとも第１のチャンバー５、５０がある。
【００２２】
この修正機構１は、ボール、ローラーのような少なくとも１つのフリーホイール６を有しており、これは、このようなチャンバー５、５０内に閉じ込められ、その寸法構成は、空洞３０に対するローター４の第１の相対的回転方向においてはチャンバー５、５０内にてフリーホイールが自由であることを可能にし、空洞３０に対するローター４の第２の相対的回転方向においてはチャンバー５、５０の壁にてフリーホイール６をロックさせるように構成している。
【００２３】
変種の１つにおいて、フリーホイール６は、ローター４の回転軸Ｄに垂直な平面内においてのみ動くことができる。
【００２４】
別の変種において、フリーホイール６は、ローター４の回転軸Ｄに平行にのみ動くことができる。
【００２５】
別の変種において、フリーホイール６は、ローター４の回転軸Ｄに垂直な平面内と、ローター４の回転軸Ｄに平行な方向の両方にて、動くことができる。
【００２６】
特定の特徴によると、ローター４の外周面４０は、出力車セット３とローター４に共通な回転軸Ｄに垂直な平面内において、各チャンバー５においてカムを形成している。
【００２７】
別の特定の特徴によると、ローター４の外周面４０は、車セット３とローター４に共通の回転軸Ｄに垂直な方向において各チャンバー５においてカムを形成している。
【００２８】
別の特定の特徴によると、ローター４の外周面４０は、各チャンバー５において、出力車セット３とローターに共通の回転軸Ｄに垂直な平面内と、この回転軸Ｄに平行な方向の両方にて、カムを形成している。
【００２９】
特に、図５に示しているように、各チャンバー５、５０には、他のすべてのチャンバー５、５０と同じ周方向において、傾斜面７に隣接している漸増領域があり、それに、止め面８によって制限される増大領域が続く。この増大領域の内側にて、第１の相対的回転方向においては、フリーホイール６は自由であり、第２の相対的回転方向においては、傾斜面７上にて支えられてロックされている。
【００３０】
より詳細には、各フリーホイール６は、ボールである。図示していない他の変種において、フリーホイール６は、以下のような他の形態であることができる。すなわち、ロック解除できることを前提に、ウェッジタイプの、転がらずに摺動のみするロック要素、又は厳密には回転体ではないアイドルピニオンのような幾何学的構成のものである。逆に、別の変種においては、位置の解放と変更のための力を与えるカムと組み合わさった、フリーホイール６、特に、ボールベアリングのケージの一方に載っているボール、の磁気的保持に関連している。この位置の解放と変更の際には、このカムは保持のためには用いられなくなっており、ロック解除のために用いられる。
【００３１】
図面に示している特定の変種において、システム全体が同じ軸上にあり、ローター４と共に回転するように一体化されている制御車セット２を形成している下側ピニオンに回転運動が伝わり、傾斜面７を形成している傾斜面及びフリーホイール６を形成しているボールベアリングによってカバーによって伝達され、このフリーホイール6は、出力車セット３を形成している上側修正ピニオン上にてロックされる。反対方向においては、ボールは傾斜面によって解放され、いずれの運動も伝達されない。
【００３２】
特定の特徴によると、制御車セット２、出力車セット３、ローター４及び各フリーホイール６は、非磁性体で作られている。特に、制御車セット２、出力車セット３、ローター４及び各フリーホイール６の少なくとも１つは、セラミックス材料で作られている。特に、制御車セット２、出力車セット３、ローター４及び各フリーホイール６は、セラミックス材料で作られている。
【００３３】
特に、修正機構１は、出力車セット３又は制御車セット２上に、単一の回転肩部９を有する。この回転肩部９は、修正機構１が固定されるように構成している計時器用機構１００又はムーブメント２００の構造９０又はプレート又はブリッジと連係するように構成している。
【００３４】
本発明は、さらに、前記のような表示車セット１１及び前記のような修正機構１を有する日付表示機構１０に関する。
【００３５】
本発明は、さらに、ユーザーのアクションによって及び／又は計時器１０００にある計時器用機構１００によって及び／又は前記のような修正機構を備える計時器１０００にあるムーブメント２００によって制御されるように構成している表示車セット１１と制御車セット２を有する日付表示機構１０を有する計時器１０００に関する。前記のような修正機構１は、特に、日付表示を変えるために表示車セット１１の位置を修正するように構成している。
【００３６】
特に、この計時器１０００は、腕時計や懐中時計のような携行型時計である。
【００３７】
本発明に係る機構は、部品の数が限られた数しかない単純でありコンパクトな（同軸である）システムである。この機構には摩擦システムがなく、中心距離が固定されている。
【符号の説明】
【００３８】
１  修正機構
２  制御車セット
３  出力車セット
４  ローター
５、５０  チャンバー
６  フリーホイール
７  傾斜面
８  止め面
９  回転肩部
１０  日付表示機構
１１  表示車セット
３０  空洞
４０  外周面
９０  構造
１００  計時器機構
２００  ムーブメント
１０００  計時器
Ｄ  回転軸
【図１】
2019174451.tif 000003
【図２】
2019174451.tif 000004
【図３】
2019174451.tif 000005
【図４】
2019174451.tif 000006
【図５】
2019174451.tif 000007
【図６】
2019174451.tif 000008
【図７】
2019174451.tif 000009
【図８】
2019174451.tif 000010